(57)【特許請求の範囲】
【請求項１】
少なくとも表示側が透明で、かつ、対向して配置された一対の基板と、
前記一対の基板間に封入される色及び帯電特性が異なる少なくとも２種類の粒子群と、
前記一対の基板の対向する面側に各々設けられた一対の電極と、
外部からの刺激により電荷を発生させ、該電荷を前記一対の電極のうちの一方の電極に供給する電荷発生手段と、
前記一対の電極と並列に接続されたバリスタを有し、前記電荷発生手段からの電荷による電位が一定となるように調整する電位調整手段と、
を備えた画像表示装置。
【請求項２】
前記一方の電極は、
複数の電極で構成され、
前記電位調整手段は、前記電荷発生手段に並列に接続されるとともに、互いが直列に接続された複数のバリスタを有し、
前記一対の電極の他方と前記複数の電極の各電極との間で並列に接続される前記バリスタの数が各電極毎に異なるように、前記複数のバリスタと前記複数の電極とが接続された
請求項１に記載の画像表示装置。
【請求項３】
前記一方の電極は、
複数の電極で構成され、
前記電位調整手段は、前記電荷発生手段に並列に接続されるとともに、互いが直列に接続された複数のバリスタを有し、
接続経路を切り換えて、前記一対の電極の他方と前記複数の電極の各電極との間に並列に接続される前記バリスタの数を各電極毎に変えることにより、前記電荷発生手段からの電荷による電位を複数のレベルに調整する切り換え手段と、
を備えた請求項１に記載の画像表示装置。
【発明の詳細な説明】
【０００１】
【発明の属する技術分野】
本発明は、画像表示装置に係り、特に、繰り返し書き換えが可能な画像表示装置に関する。
【０００２】
【従来の技術】
近年、大画面の表示装置において、軽量で、薄型、かつ、消費電力の少ない表示装置が求められている。そのような大画面の表示装置としては液晶表示装置やプロジェクタ等の表示装置が一般的である。
【０００３】
液晶表示装置やプロジェクタ等の表示装置においては、画像表示の状態では常に電界を発生させるか、光を照射する必要がある。大画面の表示装置の使用用途としては、書き換えの少ない広告看板などが主であるため、できるだけ消費電力を抑えたものが好ましい。特に、広告看板などの単純な画像を表示する用途においては、低エネルギーでも表示できる画像表示装置、またはバッテリーを使用しなくても表示できる画像表示装置が望まれるが、上述した液晶表示装置やプロジャクタ等の表示装置では、表示中は常に電力を必要とするため、消費電力が大きいという問題がある。
【０００４】
近年、新規な表示媒体として、トナー（粒子）を用いた表示媒体が幾つか提案されている（Ｊａｐａｎ  Ｈａｒｄｃｏｐｙ，'９９論文集，ｐ２４９‐ｐ２５２、Ｊａｐａｎ  Ｈａｒｄｃｏｐｙ，'９９  ｆａｌｌ予稿集，ｐ１０‐ｐ１３）。
【０００５】
これらの表示媒体は、透明な表示基板と、これと微小間隙をもって対向する背面基板との間に、色および帯電特性が異なる２種類の粒子群（トナー）を封入した構成となっており、これらの基板間に画像情報に応じて電界を印加することにより、表示基板に任意の色の粒子を付着させて、画像表示を行うものである。
【０００６】
このトナーを用いた粒子表示媒体は、軽量で薄型であるだけでなく、書き換え時のみに電界を発生させるだけで表示が行われ、電界が作用しない限りトナーは移動しないため、電力の使用なしに表示のメモリ性を有し、消費電力が少ないという利点を備えている。
【０００７】
【発明が解決しようとする課題】
しかしながら、上述したようなトナーを用いた粒子表示媒体は、画像表示のために粒子を移動させる際に高電圧を基板に与える必要がある。高電圧を基板に与える電源は簡易な構成で低コストな電源の制作が難しく、複雑で高価となってしまうため、粒子表示装置全体としても高価なものとなってしまうことは避けられない。
【０００８】
そこで、本発明は、粒子を用いた表示装置において、簡易な電源装置によって粒子の駆動を行うことが可能な画像表示装置を提供することを目的とする。特に、粒子の駆動に必要な電位を調整して濃度の安定した表示を行い、過剰な電位発生を防止して過剰な電位発生による装置の破壊を防止できる画像表示装置を提供することを目的とする。
【０００９】
【課題を解決するための手段】
上記目的を達成する為に、請求項１に記載の発明の画像表示装置は、少なくとも表示側が透明で、かつ、対向して配置された一対の基板と、前記一対の基板間に封入される色及び帯電特性が異なる少なくとも２種類の粒子群と、前記一対の基板の対向する面側に各々設けられた一対の電極と、外部からの刺激により電荷を発生させ、該電荷を前記一対の電極のうちの一方の電極に供給する電荷発生手段と、前記一対の電極と並列に接続されたバリスタを有し、前記電荷発生手段からの電荷による電位が一定となるように調整する電位調整手段と、を備えている。
【００１０】
本発明の画像表示装置は、外部からの刺激により電荷を発生させる電荷発生手段により電荷を一対の電極のうちの一方の電極に供給し、一対の電極の間に形成された電界により粒子の駆動を行って画像を表示させる構成である。
【００１１】
本発明で述べる刺激とは、例えば、圧力、摩擦、磁気、光、温度、化学物質、ｐＨの変化などの環境変化の要因となるものであり、電荷発生手段はこのような刺激が与えられると電荷を発生させる材料より構成されている。好ましくは、圧力の印加によって電荷を発生させる圧電素子を用いるとよい。
【００１２】
例えば、一般に知られている静電除去装置やライターの着火機構などに用いられている圧電素子を電荷発生手段として用い、この機構を１対の電極のうちの一方の電極に結線する構成などとすることができる。これによれば、簡単な構成でかつコスト的にも安価な電源装置とすることができる。
【００１３】
また、この場合、圧電素子に大きな圧力をかけ、瞬間的に圧力を開放することにより電荷を発生させる構成であるため、図１５に示すように、瞬間的に大きな電位が生ずる。この電位は数ＫＶのオーダーにまで達する場合があるため、電極間で火花放電が引き起されて、電極が焼き付いたり、粒子が凝集したり、また、発生した火花放電によって表示装置を破壊することがある。圧電素子により発生した電位には正負両方の電位が生じるため、ダイオードによるサージを用いることはできない。
【００１４】
そのため、本発明では、電荷発生手段と１対の電極のうちの一方の電極との間に、電位調整手段を備えている。電位調整手段は、一対の電極と並列に接続されたバリスタを有し、電荷発生手段からの電荷を一定となるように調整するため、電荷発生手段からの電荷による電位が瞬間的に大きな電位となっても、１対の電極には一定の電荷が常に供給されるので、瞬間的に大きな電位により電極が焼き付いたり、粒子が凝集するなどの問題の発生を防止できる。
【００１７】
また、電位発生手段にかかる刺激の大きさにばらつきがある場合、発生する電位の波形、電位最高値がばらつくことがある。電位値がばらつくと、基板に付着する粒子の数も変わるので、表示濃度が変わってしまい好ましくない。そのため、本発明の画像表示装置では、前記電位調整手段が、前記電荷発生手段からの電荷による電位が一定となるように調整することを特徴としている。
【００１８】
前記電位調整手段が、前記電荷発生手段からの電荷による電位が一定となるように調整することにより、電位発生手段にかかる刺激の大きさのばらつきにより発生した電位の波形、電位最高値がばらついても、常に一定の電位が得られるので、表示濃度を一定とすることができる。これにより、濃度の安定した表示を行うことができる。
【００１９】
また、本発明では、前記電位調整手段は、前記一対の電極と並列に接続されたバリスタを有することを特徴としている。
【００２０】
バリスタは、所定の閾値電圧を越えると急激に抵抗が小さくなって電流が流れやすくなる性質を持つ。したがって、バリスタは所定の閾値電圧に達するまでは抵抗として働くが、所定の閾値電圧を越えると電流を流し始めるので、前記１対の電極とバリスタとを並列に設けることにより、前記１対の電極間には所定の閾値電圧より大きな電圧が印加されても前記１対の電極間には所定の閾値電圧が印加されることとなる。これにより、電位を一定に保つことができるので、安定した画像濃度とすることが可能である。また、請求項２に記載した発明は、請求項１に記載の画像表示装置において、前記一方の電極は、複数の電極で構成され、前記電位調整手段は、前記電荷発生手段に並列に接続されるとともに、互いが直列に接続された複数のバリスタを有し、前記一対の電極の他方と前記複数の電極の各電極との間で並列に接続される前記バリスタの数が各電極毎に異なるように、前記複数のバリスタと前記複数の電極とが接続されている。
【００２１】
さらに、請求項３に記載した発明は、請求項１に記載の画像表示装置において、前記一方の電極は、複数の電極で構成され、前記電位調整手段は、前記電荷発生手段に並列に接続されるとともに、互いが直列に接続された複数のバリスタを有し、接続経路を切り換えて、前記一対の電極の他方と前記複数の電極の各電極との間に並列に接続される前記バリスタの数を各電極毎に変えることにより、前記電荷発生手段からの電荷による電位を複数のレベルに調整する切り換え手段と、を備えている。
【００２２】
複数のバリスタを直列に繋ぐことによって流し始める電位が直列に接続したバリスタの閾値電圧の和となるので、切り換え手段により接続経路を切り換えることにより、電流を流すバリスタの数を変えて電位のレベルを調整することができる。
【００２３】
なお、この場合、同じ閾値電圧を持つバリスタを複数直列に接続するように構成してもよいが、異なる閾値電圧を持つバリスタを複数直列に接続するように構成してもよい。同じ閾値電圧を持つバリスタを複数直列に接続する場合は、同じ割合で段階的に表示濃度を切り換えることが可能であり、異なる閾値電圧を持つバリスタを複数直列に接続する場合は、表示濃度の切り換えを必要に応じた濃度の割合で段階的に切り換えることが可能である。
【００２４】
【発明の実施の形態】
以下、図面を参照して本発明の実子の形態について説明する。
【００２５】
（第１の実施の形態）
第１の実施形態に係る画像表示装置は、図１に示すように、画像表示部１０及び電圧制御部１２とから構成されている。画像表示部１０は、画像表示面を形成する透明な表示基板２０と背面基板２３との間に、表示側電極２２、スペーサ２６、背面側電極２５が順に形成された構成である。また、表示基板２０と背面基板２３との間の空間内に第１の粒子（黒色粒子）４０及び第２の粒子（白色粒子）４２が封入されている。
【００２６】
なお、画像表示部１０は本発明の画像表示媒体に相当し、画像表示部１０を構成する表示基板２０と背面基板２３は本発明の一対の基板に相当し、表示側電極２２と背面側電極２５は本発明の一対の電極に相当する。
【００２７】
表示基板２０は、第１の粒子４０及び第２の粒子４２が外部から確認できるように電極処理を施してあるシートであればよく、透明性の導電性材料を配置してあるものや不透明の導電性材料を間隔を空けて配置させたもの等が使用できる。例えば、ＩＴＯ電極等の透明電極が表面に形成されたＰＥＴ（ポリエチレンテレフタレート）フィルムやフレキシブル基板ＦＰＣ、ＩＴＯ電極付きのガラス基板等を用いることができる。なお、表示側電極２２の表面には透明な表面保護層２８が形成されている。
【００２８】
背面基板２３は、表面に背面側電極２５が形成可能で、電界を形成可能な機能を持つものであればよく、誘電体や、電子写真に用いられる光導電性材料を用いた感光体などのように、一旦電荷を蓄えて保持する部材等、基板電界を発生する機能を有する部材等をから構成される。例えば、金属シート、金属皮膜を有するシート、導電性非金属材料を含むシート、プリント配線基板、及び、アルミ等の電極が蒸着されたＰＥＴフィルムやガラス基板等を用いることができる。なお、背面側電極２５はの表面には表面保護層２８が形成されている。なお、プリント配線基板は、電界供給の最も凡用性の高い部材であり、胴箔のエッチングによって任意の形状に作成できるだけでなく、エポキシ樹脂の積層化を行って厚さ方向への配線が可能であるので、好適である。
【００２９】
また、表示側電極２２と背面側電極２５は、詳細には図示しないが、夫々ライン状の電極を並列配置した構成であり、互いに延在する向きが直交する単純マトリックス構造とされている。
【００３０】
勿論、本発明では背面基板２３は、プリント配線基板に限らず、例えば、誘電体や、電子写真に用いられる光導電性材料を用いた感光体などのように、一旦電荷を蓄えて保持する部材等、基板電界を発生する機能を有する部材であれば、適用できる。
【００３１】
スペーサ２６は、表示基板２０と背面基板２３とを所定間隔に規制できるものであればよく、粒子状のものや格子状のシートを用いることができ、例えばナイロンメッシュ等を用いることができる。
【００３２】
また、第１の粒子４０及び第２の粒子４２は、プラス又はマイナスの電荷を一時的に保持できる材料であれば良く、有機、非有機、金属材料、又はこれらの複合材料からなる粒子を用いることができる。また、非電気的な付着力を低減するために好ましくは１μｍ以上の粒径が好ましく、数十ｎｍ程度の微粒子により外添処理を施し、流動性が改善されていることが好ましい。
【００３３】
第１の粒子４０は、例えば粒径が約２０μｍ程度で正の帯電性を有する黒色の非導電性の球状ポリマー粒子を用いることができ、また、第２の粒子４２は、例えば粒径が約２０μｍ程度で負の帯電性を有する白色の非導電性の球状ポリマー粒子を用いることができる。
【００３４】
表示側電極２２及び背面側電極２５は、それぞれ配線１２ａによって電圧制御部１２と接続されている。配線１２ａは、電気配線用に使用できる材料であればよく、例えば銅線を用いることができる。
【００３５】
また、図２に示すように、表示基板２０に形成された表示側電極２２と配線１２ａとの接続は、例えば、導電性粒子が埋め込まれた異方性導電性シート２４との熱圧着やエポキシ接着剤によって行うことができる。なお、表示基板２０が、大画面で個々の画素が大きい場合には、基板に直接半田付けや、例えば、ドータイト（商品名；藤倉化成社製）等の導電性ペーストの塗布によって表示基板２０の表示側電極２２と電圧制御部１２の配線１２ａとを電気的に接続して導通を図るように構成できる。また、ここでは、説明を省略するが、背面基板２３に形成された背面側電極２５も同様に電圧制御部１２と電気的に接続されている。
【００３６】
電圧制御部１２は、図３に示すように、大別して、圧電素子３０、圧力付与部材３２、電圧調整部材３４から構成されている。圧電素子３０は配線１２ａによって表示側電極２２に接続されると共に、圧電素子３０を支持する支持基板３６を介して背面側電極２５に接続されている。
【００３７】
本第1の実施の形態の電圧制御部１２は、圧電素子３０による電歪効果によって電位を発生させる構成であり、てこの応用によるグリップやハンマー状に形成された圧力付与部材３２によって圧電素子３０に集中的に大きな圧力をかけることで、圧電素子３０の内部に歪みを生じさせて圧力付与部材３２との接合部に起電力を発生させる。
【００３８】
これにより圧電素子３０に生じた電位を表示基板２０に供給して１対の電極間に電界を発生させ、基板間に封入された第１の粒子４０及び第２の粒子４２を電界に応じて移動させて表示基板に付着させて画像を表示する。
【００３９】
なお、電歪効果を発生させる圧電素子３０の原料としては、圧電セラミックスのチタン酸バリウム系、チタン酸鉛系、ＰＣＭ系や圧電性高分子、それらの複合系などを使用できる。
【００４０】
電圧調整部材３４は、圧電素子３０と並列して設けられており、本第１の実施の形態では、図４に示すように、コンデンサ３７と抵抗３８とから構成されている。
【００４１】
例えば、画像表示部１０の静電容量が表示面積１ｃｍ2辺り１００ｐＦであり、かつ、表示面積が１００ｍ2以下の画像表示部１０に対し、電圧制御部１２の圧電素子３０から１０ｍｓｅｃのパルス電位が印加される場合、図５に示すように、画像表示部１０には２００Ｖの電位がかかることとなる。
【００４２】
本第１の実施の形態では、電圧調整部材３４として２ＭΩの抵抗３８、０．１μＦのコンデンサ３７を用いることにより、図６に示すように、１４５Ｖに抑えることができる。なお、コンデンサ３７の静電容量および抵抗３８は画像表示部１０の静電容量によって決定され、画像表示部１０の静電容量は高圧電源を用いて測定することができる。
【００４３】
また、電位の波形、電位最高値は圧電素子３０にかかる圧力に応じて変動する。圧電素子３０にかかる圧力にばらつきがある場合、電圧調整部材３４として一定の電荷を蓄積するコンデンサを用いると、画像表示部１０に供給される電位は圧電素子３０にかかる圧力のばらつきに応じて変動する。
【００４４】
画像表示部１０に供給される電位が変動すると好ましくない場合があるので、第１の実施の形態の応用として、電圧調整部材３４として、図７に示すように、コンデンサ３７と抵抗３８の代わりに、バリスタ３９を用いることも可能である。
【００４５】
バリスタ３９は、図８に示すように、バリスタ３９にかかる電圧によって流れる電流値が異なり、ある一定電圧（以下、閾値電圧と称す。）を超えると、急激に抵抗が小さくなって電流が流れやすくなる性質を持つ。図８では、このようなバリスタ３９の一端を表示側電極２２、他端を背面側電極２５とに接続して、画像表示部１０と並列して設けている。これにより、電圧制御部１２から閾値電圧以上の電圧が印加されたときに、バリスタ３９に電流が流れるので画像表示部１０に対しては、図９に示すように、一定の電圧、すなわち、閾値電圧が印加されることとなる。
【００４６】
本実施の形態では、３００Ｖで抵抗が急激に小さくなるＺＮＲバリスタ（酸化亜鉛バリスタ）を用いることにより、画像表示の切り替えを行うために電圧制御部１２により電圧を発生させた場合に、画像表示部１０を破壊することなく良好な画像表示が可能であった。
【００４７】
また、バリスタを用いる場合の応用として、図１０に示すように、３つのバリスタ３９ａ、３９ｂ、３９ｃを直列に接続する構成とすることもできる。この場合、電圧Ｖは、３つのバリスタ３９ａ、３９ｂ、３９ｃの閾値電圧Ｖａ、Ｖｂ、Ｖｃの和Ｖ＝Ｖａ＋Ｖｂ＋Ｖｃとなる。従って用いるバリスタの数を変えることで、設定する閾値電圧を調整することも可能である。この場合、同じ閾値電圧のバリスタを用いてもよいが、図１１に示すように、異なる閾値電圧のバリスタを用いることもできる。
【００４８】
このように、本発明の第１の実施形態に係る画像表示装置によれば、比較的簡便な構成で電源としての電圧制御部を構成することができ、かつ、画像表示部１０を破壊することなく良好な画像表示が可能であるという利点がある。
【００４９】
（第２の実施の形態）
第２の実施形態に係る画像表示装置は、１つの電圧制御部１２により複数の電位を発生させる場合の実施の形態であり、図１２（Ａ）に示すように、例えば、５つのバリスタ３９ａ〜３９ｅを直列に接続し、表示基板２０に設けられたライン状の電極の夫々の接続位置を異ならせた構成である。
【００５０】
５つのバリスタ３９ａ〜３９ｅの各々は閾値電圧は、ここでは、第１のバリスタ３９ａは±Ｖａ、第２のバリスタ３９ａは±Ｖｂ、第３のバリスタ３９ｃは±Ｖｃ、第４のバリスタ３９ｄは±Ｖｄ、第５のバリスタ３９ｅは±Ｖｅとする。
【００５１】
第２の実施形態に係る画像表示装置では、第１のライン状の電極２２ａは第１のバリスタ３９ａと第２のバリスタ３９ｂとの間に接続され、第２のライン状の電極２２ｂは第２のバリスタ３９ｂと第３のバリスタ３９ｃとの間に接続され、第３のライン状の電極２２ｃは第３のバリスタ３９ｃと第４のバリスタ３９ｄとの間に接続され、第４のライン状の電極２２ｅは第４のバリスタ３９ｄと第５のバリスタ３９ｅとの間に接続され、第５のライン状の電極２２ｅは、第５のバリスタ３９ｅと圧電素子３０との間に接続されている。
【００５２】
そのため、第１のライン状の電極２２ａと対向する背面側電極２５との間に形成される電界は第１のバリスタ３９ａの閾値電圧Ａ＝Ｖａに応じた電界となり、第２のライン状の電極２２ｂと対向する背面側電極２５との間に形成される電界は第１のバリスタ３９ａの閾値電圧と第２のバリスタ３９ｂの閾値電圧との和の閾値電圧Ｂ＝Ｖａ＋Ｖｂに応じた電界となり、第３のライン状の電極２２ｃと対向する背面側電極２５との間に形成される電界は第１のバリスタ３９ａの閾値電圧、第２のバリスタ３９ｂの閾値電圧、及び第３のバリスタ３９ｃの閾値電圧との和の閾値電圧Ｃ＝Ｖａ＋Ｖｂ＋Ｖｃに応じた電界となり、第４のライン状の電極２２ｄと対向する背面側電極２５との間に形成される電界は第１のバリスタ３９ａの閾値電圧、第２のバリスタ３９ｂの閾値電圧、第３のバリスタ３９ｃ及び第４のバリスタ３９ｄの閾値電圧との和の閾値電圧Ｄ＝Ｖａ＋Ｖｂ＋Ｖｃ＋Ｖｄに応じた電界となり、第５のライン状の電極２２ｅと対向する背面側電極２５との間に形成される電界は第１のバリスタ３９ａの閾値電圧、第２のバリスタ３９ｂの閾値電圧、第３のバリスタ３９ｃ第４のバリスタ３９ｄ及び第５のバリスタ３９ｅの閾値電圧との和の閾値電圧Ｅ＝Ｖａ＋Ｖｂ＋Ｖｃ＋Ｖｄ＋Ｖｅに応じた電界となる。
【００５３】
ここで、閾値電圧と表示濃度との関係を図１３に示す。閾値電圧が高いほど形成される電界の強さが強くなるためより多くの粒子が付着することとなる。したがって、画像表示部１０による表示濃度は、閾値電圧Ａ、閾値電圧Ｂ、閾値電圧Ｃ、閾値電圧Ｄ、閾値電圧Ｅの順に高くなる。このように複数のバリスタを組み合わせて濃度を調整し、色の濃さの異なる画像を表示することが可能である。なお、移動する電界の大きさが異なりかつ、色の異なる３種類以上の粒子を封入すれば、バリスタの数に応じて対応する色の粒子のみを付着させるようにすることができる。従って、色毎に単位セルを形成する必要がなく、カラー表示を行うことが可能である。
【００５４】
好ましくは、図１２（Ｂ）に示すように、バリスタ３９ａ〜３９ｅと電極との間に切換部４４を設け、この切換部４４によって電極毎に接続されるバリスタ数を変えるようにするとよい。これにより、接続されたバリスタに応じて電極間に形成される電界の強さが代わるので、所望の表示濃度又は表示色に調整することが可能である。
【００５５】
また、電極の形状をアクティブマトリクスに限定せず、例えば、図１４（Ａ）に示すように、同心円状に形成することも可能である。図１４（Ｂ）には一例として閾値電圧が７０Ｖのバリスタを５つ用い、最外周の第１の円環状の電極２２ｆを上述した第１のライン状の電極２２ａと同様に第１のバリスタ３９ａに接続し、内側にいくに従って円環状の電極２２と接続するバリスタの数を増やし、外側から閾値電圧が７０Ｖ、１７０Ｖ、２１０Ｖ、２８０Ｖ、３５０Ｖの電位を作り出して同心円状の模様を表示した場合の表示状態を示している。このように本第２の実子の形態によれば、簡単な構成で５つの濃度階調の画像を表示することが可能である。もちろん、切換え部４４を設けることで、色の濃さの順を適宜変えるように構成したり、付着する粒子色をかえてカラー表示を行うように構成できる。
【００５６】
なお、以上は、電圧制御部における発電機構として圧電素子を用いる場合について説明したが、例えば、光電変換素子や振動による磁場変化を利用したり、燃料電池などのように、圧力以外の刺激により発電する素子や装置などを適用することも可能である。
【００５７】
【発明の効果】
以上説明したように本発明によれば、粒子を用いた表示装置において、簡易な電源装置によって粒子の駆動を安定して行うことが可能である、という効果がある。また、粒子の駆動に必要な電位を調整して濃度の安定した表示が行得ると共に、発電時に急激に電位が高まって電極間に高い電位が印加されるのを防いで、過剰な電位発生による放電などによって装置が破壊される防止でき、良好な表示を実現できる、という効果がある。
【図面の簡単な説明】
【図１】  第１の実施形態に係る画像表示装置の概略構成を示す説明図である。
【図２】  表示基板に形成された表示側電極と配線との接続を説明する概略説明図である。
【図３】  電圧制御部の構成を示す概略説明図である。
【図４】  電圧調整部材として抵抗とコンデンサを用いた場合の圧電素子及び画像表示部との接続状態を示す概略説明図である。
【図５】  圧電素子を用いた場合の電位発生波形の一例を示すグラフある。
【図６】  圧電素子を用い、電圧調整部材として抵抗とコンデンサとを用いたときの電位発生波形を示すグラフある。
【図７】  電圧調整部材としてバリスタを用いた場合の圧電素子及び画像表示部との接続状態を示す概略説明図である。
【図８】  横軸はバリスタにかかる電圧、縦軸はバリスタを流れる電流を示し、バリスタの性質を示すグラフである。
【図９】  圧電素子を用い、電圧調整部材としてバリスタを用いたときの電位発生波形を示すグラフある。
【図１０】  電圧調整部材として直列に接続した３つのバリスタを用いた場合の圧電素子及び画像表示部との接続状態を示す概略説明図である。
【図１１】  横軸はバリスタにかかる電圧、縦軸はバリスタを流れる電流を示し、図１０の３つのバリスタが異なる閾値電圧のバリスタの場合の各々の性質を示すグラフである。
【図１２】  図１２（Ａ）は第２の実施形態に係る画像表示装置の概略構成を示す説明図であり、図１２（Ｂ）は図１２（Ａ）に示した画像表示装置の応用例を示す概略説明図である。
【図１３】  電圧調整部材の閾値電圧と画像表示部の表示濃度との関係を示すグラフである。
【図１４】  図１４（Ａ）は電極形状を同心円状にした場合の上面図であり、図１４（Ｂ）は各電極毎に印加する電圧を変えるように構成して同心円状の模様を表示した場合の表示状態を示す上面図である。
【図１５】  圧電素子による電位発生波形の一例を示すグラフある。
【符号の説明】
１０  画像表示部
１２  電圧制御部
１２ａ      配線
２０  表示基板
２２ａ〜２２ｅ    電極
２２ｆ〜２２ｊ    円環状電極
２２  表示側電極
２３  背面基板
２４  異方性導電性シート
２５  背面側電極
２６  スペーサ
２８  表面保護層
３０  圧電素子
３２  圧力付与部材
３４  電圧調整部材
３６  支持基板
３７  コンデンサ
３８  抵抗
３９、３９ａ〜３９ｅ    バリスタ
４０  第１の粒子
４２  第２の粒子
４４  切換部
【図１】
0004061837.tif 000002
【図２】
0004061837.tif 000003
【図３】
0004061837.tif 000004
【図４】
0004061837.tif 000005
【図５】
0004061837.tif 000006
【図６】
0004061837.tif 000007
【図７】
0004061837.tif 000008
【図８】
0004061837.tif 000009
【図９】
0004061837.tif 000010
【図１０】
0004061837.tif 000011
【図１１】
0004061837.tif 000012
【図１２】
0004061837.tif 000013
【図１３】
0004061837.tif 000014
【図１４】
0004061837.tif 000015
【図１５】
0004061837.tif 000016